(57)【要約】      （修正有）【課題】ナイトライトの発光時にも、同時にＵＳＢ直流出力端から電器に直流電流を提供することができる、ＵＳＢソケット付きナイトライトを提供する。【解決手段】座体１と、座体上に設置され、交流電流を入力するために用いられる交流入力端１１と、交流電流を直流電流に変換するために用いられるＡＣ／ＤＣ変換回路１２と、座体上に設置され、直流電流を出力するために用いられるＵＳＢ直流出力端１３と、交流入力端、ＡＣ／ＤＣ変換回路、またはＵＳＢ直流出力端のいずれかに電気的に接続された発光回路とを含む。発光回路に少なくとも１つの発光部材が電気的に接続され、発光部材の発光または不発光を制御する制御部材１４が座体上に設置されている。【選択図】図１
0003194276.tif 000002
【実用新案登録請求の範囲】
【請求項１】
ＵＳＢソケット付きナイトライトであって、
座体と、
前記座体上に設置され、交流電流を入力するために用いられる交流入力端と、
前記交流電流を直流電流に変換するために用いられるＡＣ／ＤＣ変換回路と、
前記座体上に設置され、前記直流電流を出力するために用いられるＵＳＢ直流出力端と、
前記交流入力端、前記ＡＣ／ＤＣ変換回路、または前記ＵＳＢ直流出力端のいずれかに電気的に接続された発光回路と、
を含むことを特徴とする、ＵＳＢソケット付きナイトライト。
【請求項２】
前記交流入力端にプラグ刃が接続されたことを特徴とする、請求項１に記載のＵＳＢソケット付きナイトライト。
【請求項３】
前記発光回路に少なくとも１つの発光部材が電気的に接続されたことを特徴とする、請求項１に記載のＵＳＢソケット付きナイトライト。
【請求項４】
前記ＡＣ／ＤＣ変換回路に交流入力端が設けられ、該交流入力端に第１抵抗が電気的に接続され、前記第１抵抗に全波ブリッジ整流器が電気的に接続され、前記全波ブリッジ整流器のうち２個の一般ダイオードのカソードが相互に電気的に接続され、かつ第１キャパシタの一端と第１インダクタの一端に電気的に接続され、前記第１キャパシタの他端が接地され、前記第１インダクタの他端に第２キャパシタの一端と第２抵抗の一端が電気的に接続され、前記第２キャパシタの他端が接地され、前記第２抵抗の他端に第３抵抗の一端が電気的に接続され、前記第３抵抗の他端に第３キャパシタが電気的に接続され、前記第３キャパシタに第１ダイオードのカソードが電気的に接続され、前記第１ダイオードのアノードに第４抵抗の一端が電気的に接続され、前記第４抵抗の他端に第５抵抗の一端と変圧器一側の一端が電気的に接続され、前記第５抵抗の他端に第６抵抗の一端が電気的に接続され、前記変圧器一側の他端と前記第６抵抗の他端に第７抵抗と第８抵抗が電気的に接続され、前記第７抵抗と前記第８抵抗が相互に並列接続され、前記第３抵抗、前記第６抵抗、前記第７抵抗、第８抵抗がそれぞれ制御ＩＣに電気的に接続され、前記制御ＩＣに第２ダイオードのアノードが電気的に接続され、前記第２ダイオードのカソードに第９抵抗が電気的に接続され、前記第９抵抗に第４キャパシタが並列接続され、変圧器他側の一端に第３ダイオードのアノードと第１０抵抗の一端が電気的に接続され、前記第３ダイオードのカソードと前記第１０抵抗の他端に第５キャパシタが電気的に接続され、前記第３ダイオードのカソードに第１１抵抗の一端、第６キャパシタの一端、第２インダクタの一端が電気的に接続され、前記第２インダクタの他端に第７キャパシタの一端と出力負荷が電気的に接続され、前記出力負荷にＵＳＢ出力端が電気的に接続され、そのうち、前記出力負荷と前記ＵＳＢ出力端の間にノード電圧が形成され、前記変圧器他側の他端、前記第１１抵抗の他端、前記第６キャパシタの他端、前記第７キャパシタの他端、前記出力負荷の他端が相互に電気的に接続され、かつ接地されたことを特徴とする、請求項３に記載のＵＳＢソケット付きナイトライト。
【請求項５】
前記ノード電圧から直流電流が入力され、前記ノード電圧にスイッチが電気的に接続され、前記スイッチに第１８抵抗が電気的に接続され、前記第１８抵抗に発光部材が電気的に接続されたことを特徴とする、請求項４に記載のＵＳＢソケット付きナイトライト。
【請求項６】
前記制御部材が操作ボタンであって前記座体上に設置され、前記操作ボタンを操作することにより前記スイッチが連動して開閉することを特徴とする、請求項５に記載のＵＳＢソケット付きナイトライト。
【請求項７】
前記ノード電圧から直流電流が入力され、かつ前記ノード電圧に第２可変抵抗が電気的に接続され、前記第２可変抵抗に発振器が電気的に接続され、前記発振器に第１９抵抗、第２０抵抗、前記発光部材が電気的に接続されたことを特徴とする、請求項４に記載のＵＳＢソケット付きナイトライト。
【請求項８】
前記発光回路が電源入力端を含み、前記電源入力端の一端に第１２抵抗の一端が電気的に接続され、前記第１２抵抗に第８キャパシタが並列接続され、前記電源入力端の他端に第１３抵抗の一端が電気的に接続され、前記第１２抵抗の他端と前記第１３抵抗の他端に整流ＩＣの一端がそれぞれ電気的に接続され、前記整流ＩＣの他端のプラス側に第１４抵抗の一端と前記発光部材の一端が電気的に接続され、前記発光部材が発光ダイオードであり、前記第１４抵抗の他端に第１可変抵抗の一端と第１７抵抗の一端が電気的に接続され、前記第１可変抵抗の他端に第１５抵抗の一端と第１トランジスタのベースが電気的に接続され、前記第１５抵抗の他端に第１６抵抗の一端と第２トランジスタのベースが電気的に接続され、前記第１７抵抗の他端に前記第１トランジスタのコレクタが電気的に接続され、前記第１トランジスタのエミッタに前記第２トランジスタのコレクタが電気的に接続され、前記第１トランジスタのコレクタに第４ダイオードのアノードと第９キャパシタの一端が電気的に接続され、前記第４ダイオードのカソードにシリコン制御整流器のゲートが電気的に接続され、前記発光部材の他端に前記シリコン制御整流器のアノードが電気的に接続され、前記第１６抵抗の他端、前記第２トランジスタのエミッタ、前記第９キャパシタの他端、前記シリコン制御整流器のカソードに前記整流ＩＣの他端のマイナス側が電気的に接続され、かつ接地されたことを特徴とする、請求項３に記載のＵＳＢソケット付きナイトライト。
【請求項９】
前記発光回路に電気的に接続された発光部材の発光または不発光を制御する制御部材が前記座体上に設置されたことを特徴とする、請求項３に記載のＵＳＢソケット付きナイトライト。
【請求項１０】
前記制御部材が、光センサ素子、距離センサ素子または焦電型赤外線センサ素子(Ｐｙｒｏ−ｅｌｅｃｔｒｉｃ  Ｉｎｆｒａｒｅｄ  Ｄｅｔｅｃｔｏｒ、略称ＰＩＲ)のいずれか、またはその組み合わせであることを特徴とする、請求項９に記載のＵＳＢソケット付きナイトライト。
【考案の詳細な説明】
【技術分野】
【０００１】
本考案は、交流入力プラグ刃とＵＳＢ直流出力端が設置され、前記交流入力プラグ刃から入力された交流電流がＡＣ／ＤＣ変換回路を経由して直流電流に変換され、ＵＳＢ直流出力端から電器に直流電流を提供することができる、ＵＳＢソケット付きナイトライトに関する。
【背景技術】
【０００２】
一般的なコンセントは壁面に固定して設置されており、主に交流電流を出力するために用いられているが、現在主流となっている電器は、設置されている差込口のほか、ＵＳＢを使用して充電できるものがある。このような電器に対応したコンセントが種々提案されている。
例えば特許文献１には、壁面座体、回路板、透光座体、充電座体、パネルを含み、回路板にＬＥＤランプが設置され、かつ回路板が壁面座体内に設置され、透光座体が壁面座体上に設置され、前記回路板と電気的に接続された充電座体が透光座体内に組み込まれ、前記充電座体上にＵＳＢスロットが設置され、パネルが壁面座体を覆って組み込まれ、これによりＵＳＢ電器製品をＵＳＢスロットに電気的に接続することができる「ＵＳＢ壁面式充電コンセント」が開示されている。
【０００３】
さらに、一般家庭での主要な照明源として天井に設置された蛍光灯が用いられているが、蛍光灯以外の照明設備にはテーブルランプ、小型ナイトライト等がある。
ＵＳＢスロット構造を備えたテーブルランプとしては、特許文献２に記載の「インテリジェント型ＬＥＤテーブルランプ」がある。このテーブルランプは自動モードを含み、前記自動モードはテーブルランプモードと雰囲気ランプモードに分けられ、主要システムがマイコン制御技術を利用してテーブルランプ内部の回路を制御するものである。前記システムは、自動感光装置を利用して外界の明るさを検出し、外界の明るさに応じてテーブルランプの明るさを決定するテーブルランプモード、温度センサを使用して温度を検出し、テーブルランプの光を変化させ、白色、暖色光ＬＥＤの強弱を分配する雰囲気ランプモード、タイマー機能を備え、タイマーが作動して読書をする人に対して休憩時間が来たことを知らせることで、目を守る効果を発揮するモードの三大モードを含む。また、このテーブルランプにはさらにＵＳＢの充電スロットが追加されており、使用者が使用しやすいようになっている。
【０００４】
また、一般に睡眠時間に使用者が身を置く環境は通常微量の光源を照明として必要とするのみであるため、一般の使用者は小型ナイトライトを使用する。また、通常、睡眠時間中に電器を壁のコンセントに接続して充電を行う。しかしながら、家の中に設けられたコンセントに前記小型ナイトライトがすでに差し込まれている場合、前記電器に使用できる余分なコンセントがないため、電器に対して充電を行うことができないことがある。その解決方法の１つは延長コードの利用であるが、充電のために延長コードが使用される状況の多くが睡眠時間であるため、家の中の光が微弱すぎて人が躓きやすくなり、転んでしまう可能性がある。
【０００５】
以上をまとめると、上述した従来技術には次のような欠点がある。
１、従来の「ＵＳＢ壁式充電コンセント」は、充電座体上にＵＳＢスロットが設置され、充電できるようになっているが、充電コンセントが固定式であるため、使用者がいる場所でＵＳＢスロットを利用して電器の充電を行うことができず、実用性に欠ける。
２、従来の「ＵＳＢ壁式充電コンセント」はＵＳＢスロットを電器の充電に供するのみであるため、睡眠時間に必要な微量の照明を提供できない。
３、従来の「インテリジェント型ＬＥＤテーブルランプ」は比較的嵩張るため、テーブルランプを必要に応じて任意に移動し、ＵＳＢスロットを利用して電器の充電を行うことはできるが、必要な照明のために移動させるのがやや面倒である。
４、従来の「インテリジェント型ＬＥＤテーブルランプ」は、温度センサを利用して温度を検出し、テーブルランプの光を変化させるが、気候の温暖化のために夜間時の温度が高すぎることがあり、使用者が必要とする照明の明るさと温度センサを利用して温度を検出した結果変化したテーブルランプの光の明るさに違いがある可能性がある。
５、一般家庭のコンセント数には限りがあり、睡眠時間中にすでにナイトライトを接続しており、前記ナイトライトがコンセント座体全体を覆ってしまう場合、その他の電器に使用することができないため、実用性に欠ける。
６、睡眠時間中に延長コードを使用すると、ナイトライトとその他電器に使用することはできるが、置かれた環境の光が微弱すぎるために躓きやすく、転んでしまう可能性がある。
【先行技術文献】
【特許文献】
【０００６】
【特許文献１】台湾実用新案公告第Ｍ４１２５０２号明細書
【特許文献２】台湾実用新案公告第Ｍ４７８１００号明細書
【考案の概要】
【考案が解決しようとする課題】
【０００７】
本考案が解決しようとする課題は、上述の問題を解決し、ナイトライトの発光時にも、同時にＵＳＢ直流出力端から電器に直流電流を提供することができる、ＵＳＢソケット付きナイトライトを提供することにある。
【課題を解決するための手段】
【０００８】
本考案のＵＳＢソケット付きナイトライトは、座体と、座体上に設置され、交流電流を入力するために用いられる交流入力端と、交流電流を直流電流に変換するために用いられるＡＣ／ＤＣ変換回路と、座体上に設置され、前記直流電流を出力するために用いられるＵＳＢ直流出力端と、前記交流入力端、前記ＡＣ／ＤＣ変換回路、または前記ＵＳＢ直流出力端のいずれかに電気的に接続された発光回路とを含む。
【０００９】
以下の構成を採用しても良い。
前記交流入力端にプラグ刃が接続された構成。
前記発光回路に少なくとも１つの発光部材が電気的に接続された構成。
前記ＡＣ／ＤＣ変換回路に交流入力端が設けられ、該交流入力端に第１抵抗が電気的に接続され、前記第１抵抗に全波ブリッジ整流器が電気的に接続され、前記全波ブリッジ整流器のうち２個の一般ダイオードのカソードが相互に電気的に接続され、かつ第１キャパシタの一端と第１インダクタの一端に電気的に接続され、前記第１キャパシタの他端が接地され、前記第１インダクタの他端に第２キャパシタの一端と第２抵抗の一端が電気的に接続され、前記第２キャパシタの他端が接地され、前記第２抵抗の他端に第３抵抗の一端が電気的に接続され、前記第３抵抗の他端に第３キャパシタが電気的に接続され、前記第３キャパシタに第１ダイオードのカソードが電気的に接続され、前記第１ダイオードのアノードに第４抵抗の一端が電気的に接続され、前記第４抵抗の他端に第５抵抗の一端と変圧器一側の一端が電気的に接続され、前記第５抵抗の他端に第６抵抗の一端が電気的に接続され、前記変圧器一側の他端と前記第６抵抗の他端に第７抵抗と第８抵抗が電気的に接続され、前記第７抵抗と前記第８抵抗が相互に並列接続され、前記第３抵抗、前記第６抵抗、前記第７抵抗、第８抵抗がそれぞれ制御ＩＣに電気的に接続され、前記制御ＩＣに第２ダイオードのアノードが電気的に接続され、前記第２ダイオードのカソードに第９抵抗が電気的に接続され、前記第９抵抗に第４キャパシタが並列接続され、変圧器他側の一端に第３ダイオードのアノードと第１０抵抗の一端が電気的に接続され、前記第３ダイオードのカソードと前記第１０抵抗の他端に第５キャパシタが電気的に接続され、前記第３ダイオードのカソードに第１１抵抗の一端、第６キャパシタの一端、第２インダクタの一端が電気的に接続され、前記第２インダクタの他端に第７キャパシタの一端と出力負荷が電気的に接続され、前記出力負荷にＵＳＢ出力端が電気的に接続され、そのうち、前記出力負荷と前記ＵＳＢ出力端の間にノード電圧が形成され、前記変圧器他側の他端、前記第１１抵抗の他端、前記第６キャパシタの他端、前記第７キャパシタの他端、前記出力負荷の他端が相互に電気的に接続され、かつ接地された構成。
【００１０】
前記ノード電圧から直流電流が入力され、前記ノード電圧にスイッチが電気的に接続され、前記スイッチに第１８抵抗が電気的に接続され、前記第１８抵抗に発光部材が電気的に接続された構成。
前記制御部材が操作ボタンであって前記座体上に設置され、前記操作ボタンを操作することにより前記スイッチが連動して開閉する構成。
前記ノード電圧から直流電流が入力され、かつ前記ノード電圧に第２可変抵抗が電気的に接続され、前記第２可変抵抗に発振器が電気的に接続され、前記発振器に第１９抵抗、第２０抵抗、前記発光部材が電気的に接続された構成。
【００１１】
前記発光回路が電源入力端を含み、前記電源入力端の一端に第１２抵抗の一端が電気的に接続され、前記第１２抵抗に第８キャパシタが並列接続され、前記電源入力端の他端に第１３抵抗の一端が電気的に接続され、前記第１２抵抗の他端と前記第１３抵抗の他端に整流ＩＣの一端がそれぞれ電気的に接続され、前記整流ＩＣの他端のプラス側に第１４抵抗の一端と前記発光部材の一端が電気的に接続され、前記発光部材が発光ダイオードであり、前記第１４抵抗の他端に第１可変抵抗の一端と第１７抵抗の一端が電気的に接続され、前記第１可変抵抗の他端に第１５抵抗の一端と第１トランジスタのベースが電気的に接続され、前記第１５抵抗の他端に第１６抵抗の一端と第２トランジスタのベースが電気的に接続され、前記第１７抵抗の他端に前記第１トランジスタのコレクタが電気的に接続され、前記第１トランジスタのエミッタに前記第２トランジスタのコレクタが電気的に接続され、前記第１トランジスタのコレクタに第４ダイオードのアノードと第９キャパシタの一端が電気的に接続され、前記第４ダイオードのカソードにシリコン制御整流器のゲートが電気的に接続され、前記発光部材の他端に前記シリコン制御整流器のアノードが電気的に接続され、前記第１６抵抗の他端、前記第２トランジスタのエミッタ、前記第９キャパシタの他端、前記シリコン制御整流器のカソードに前記整流ＩＣの他端のマイナス側が電気的に接続され、かつ接地された構成。
【００１２】
前記発光回路に電気的に接続された発光部材の発光または不発光を制御する制御部材が前記座体上に設置された構成。
或いは、前記制御部材が、光センサ素子、距離センサ素子または焦電型赤外線センサ素子(Ｐｙｒｏ−ｅｌｅｃｔｒｉｃ  Ｉｎｆｒａｒｅｄ  Ｄｅｔｅｃｔｏｒ、略称ＰＩＲ)のいずれか、またはその組み合わせである構成。
【考案の効果】
【００１３】
本考案には次のような効果がある。
１、ＵＳＢ直流出力端を含むため、ナイトライトを発光させるとき、またはナイトライトを発光させないときにもＵＳＢ直流出力端が出力する直流電流を電器に使用したり、電器に充電したりすることができる。
２、ＵＳＢ直流電流の充電設備に発光機能を兼備させ、ＵＳＢ直流電流の給電機能を使用しないときも、その発光機能を使用することができる。
３、体積が小さく、室内の壁上のコンセントに取り付けても、同時にＵＳＢ直流出力端が出力する直流電流を電器に直接使用したり、充電に使用したりすることができる。
４、発光回路は座体に設置された交流プラグ刃に直接電気的に接続しても、またはＡＣ／ＤＣ変換回路、或いはＵＳＢ直流出力端に直接電気的に接続してもよいため、発光回路はその電気的接続方法に多様性があり、製造元が必要に応じて適した電気的接続方法を選択することができる。
【００１４】
５、ナイトライトの点灯と消灯を制御する制御部材を設け、前記制御部材を、操作ボタン、光センサ素子、距離センサ素子、焦電型赤外線センサ素子のいずれか、または組み合わせとすれば、前記制御部材は光センサ素子と焦電型赤外線センサ素子を組み合わせた場合、前記光センサ素子が環境の明るさが低すぎることを検出し、かつ人体が前記焦電型赤外線センサ素子の検出範囲内にある場合、発光部材が自動的に発光する。その他の状況については、例えば光センサ素子が環境の明るさが低すぎることを検出しても、焦電型赤外線センサ素子にいかなる検出結果もない場合、これは焦電型赤外線センサ素子の検出範囲内に誰もいないことを意味し、このとき発光部材は発光しない。また、光センサ素子が環境の明るさが充分と検出した場合、焦電型赤外線センサ素子の検出結果がどうであっても、このときの環境の明るさが充分であるため、発光部材は発光しない。同様に、操作ボタンと光センサ素子を組み合わせ、操作ボタンの「オン」と「オフ」、及び光センサ素子の検出結果を利用して、発光部材の発光と無発光を共同で制御しても、同じ効果がある。これにより、本考案は適時にインテリジェント型のナイトライト照明を提供でき、照明の正確性と利便性を大幅に高めると同時に、省エネ効果も備えている。
【図面の簡単な説明】
【００１５】
【図１】本考案の実施例１を示すＵＳＢソケット付きナイトライトの斜視図である。
【図２】本考案の実施例１を示すＵＳＢソケット付きナイトライトのブロック図である。
【図３】本考案の実施例１に係るＡＣ／ＤＣ変換回路の回路図である。
【図４】本考案の実施例１に係る発光回路の回路図である。
【図５】本考案の実施例２を示すＵＳＢソケット付きナイトライトのブロック図である。
【図６】本考案の実施例２に係るＡＣ／ＤＣ変換回路及び発光回路の回路図である。
【図７】本考案の実施例１及び実施例２を示すＵＳＢソケット付きナイトライトの操作ボタン操作時における斜視図である。
【図８】本考案の実施例１及び実施例２を示すＵＳＢソケット付きナイトライトの発光時における正面図である。
【図９】本考案の実施例３を示すＵＳＢソケット付きナイトライトの正面図である。
【図１０】本考案の実施例３を示す発光時における概略図である。
【図１１】本考案の実施例３に係るＡＣ／ＤＣ変換回路及び発光回路の回路図である。
【図１２】本考案の実施例４を示すＵＳＢソケット付きナイトライトのブロック図である。
【図１３】本考案の実施例４を示すＵＳＢソケット付きナイトライトの正面図である。
【図１４】本考案の実施例４を示すＵＳＢソケット付きナイトライトの電器充電時における正面図である。
【考案を実施するための形態】
【００１６】
以下、本考案の実施例を図面に基づいて詳細に説明する。
図１〜図４は本考案の実施例１を示す。
本考案のＵＳＢソケット付きナイトライトは、図１及び図２に示すように、座体１と、交流入力端１１と、ＡＣ／ＤＣ変換回路１２と、ＵＳＢ直流出力端１３と、制御部材１４と、発光回路１５とを含む。
座体１には交流入力端１１が設置される。本実施例において、交流入力端１１はプラグ刃であり、主に壁ＡのコンセントＢに接続され（図７参照）、交流電流の入力に用いられる。
【００１７】
ＡＣ／ＤＣ変換回路１２は、交流電流を直流電流に変換するものである。
ＵＳＢ直流出力端１３は、座体１に設置され、変換後の直流電流を出力するために用いられる。
制御部材１４は、座体１に設置される。本実施例において、制御部材１４は操作ボタンである。
発光回路１５は、少なくとも１つの発光部材１５１に電気的に接続される。また、発光回路１５に交流入力端１１、ＡＣ／ＤＣ変換回路１２またはＵＳＢ直流出力端１３のいずれかが電気的に接続される。
【００１８】
本実施例では、発光回路１５が交流入力端１１に電気的に接続されている。
図２から分かるように、交流入力端１１にＡＣ／ＤＣ変換回路１２と発光回路１５が電気的に接続され、かつＡＣ／ＤＣ変換回路１２と発光回路１５が並列接続を呈する。ＡＣ／ＤＣ変換回路１２にＵＳＢ直流出力端１３が電気的に接続される。そのうち、発光回路１５に発光部材１５１が電気的に接続される。
そして、交流入力端１１により交流電流が入力され、この交流電流がＡＣ／ＤＣ変換回路１２により直流電流に変換されて、ＵＳＢ直流出力端１３から出力される。さらに、制御部材１４により発光回路１５に電気的に接続された発光部材１５１の発光または不発光を制御することができる。
【００１９】
図３に示すように、ＡＣ／ＤＣ変換回路１２に交流入力端１２０が設けられ、交流入力端１２０に第１抵抗１２１が電気的に接続される。第１抵抗１２１に全波ブリッジ整流器１２２が電気的に接続され、かつ全波ブリッジ整流器１２２が４個の一般ダイオードを含む。全波ブリッジ整流器１２２のうちの２個のダイオードのカソードが相互に電気的に接続され、さらに第１キャパシタ１２３の一端及び第１インダクタ１２４の一端が電気的に接続される。第１キャパシタ１２３の他端は接地される。第１インダクタ１２４の他端に第２キャパシタ１２５の一端と第２抵抗１２６の一端が電気的に接続され、第２キャパシタ１２５の他端が接地される。
【００２０】
第２抵抗１２６の他端には第３抵抗１２７の一端が電気的に接続され、第３抵抗１２７の他端に第３キャパシタ１２８が電気的に接続される。第３キャパシタ１２８に第１ダイオード１２９のカソードが電気的に接続され、第１ダイオード１２９のアノードに第４抵抗１２Ａの一端が電気的に接続される。第４抵抗１２Ａの他端に第５抵抗１２Ｂの一端と変圧器一側１２Ｃの一端が電気的に接続される。第５抵抗１２Ｂの他端に第６抵抗１２Ｄの一端が電気的に接続される。変圧器一側１２Ｃの他端と第６抵抗１２Ｄの他端に第７抵抗１２Ｅと第８抵抗１２Ｆが電気的に接続され、かつ第７抵抗１２Ｅと第８抵抗１２Ｆが相互に並列接続される。
【００２１】
第３抵抗１２７、第６抵抗１２Ｄ、第７抵抗１２Ｅ、第８抵抗１２Ｆは制御ＩＣ１２Ｇの第１ピン、第３ピン、第４ピンにそれぞれ電気的に接続される。本実施例において、制御ＩＣ１２Ｇの型番はＳＦ５９２２Ｓである。制御ＩＣ１２Ｇの第７ピンと第８ピンはいずれも接地される。制御ＩＣ１２Ｇの第５ピンと第６ピンに第２ダイオード１２Ｈのアノードが電気的に接続され、第２ダイオード１２Ｈのカソードに第９抵抗１２Ｉが電気的に接続される。第９抵抗１２Ｉと第４キャパシタ１２Ｊが並列接続される。変圧器他側１２Ｋの一端に第３ダイオード１２Ｌのアノードと第１０抵抗１２Ｍの一端が電気的に接続され、第３ダイオード１２Ｌのカソードと前記第１０抵抗１２Ｍの他端に第５キャパシタ１２Ｏが電気的に接続される。第３ダイオード１２Ｌのカソードに第１１抵抗１２Ｐの一端、第６キャパシタ１２Ｑの一端、第２インダクタ１２Ｒの一端が電気的に接続される。第２インダクタ１２Ｒの他端に第７キャパシタ１２Ｓの一端と出力負荷１２Ｔが電気的に接続される。出力負荷１２ＴにはＵＳＢ出力端１２Ｕが電気的に接続される。また、出力負荷１２ＴとＵＳＢ出力端１２Ｕの間にノード電圧１２Ｗが形成される。変圧器他側１２Ｋの他端、第１１抵抗１２Ｐの他端、第６キャパシタ１２Ｑの他端、第７キャパシタ１２Ｓの他端、出力負荷１２Ｔの他端が相互に電気的に接続され、かつ接地される。
【００２２】
図４に示すように、本実施例において、発光回路１５（図２参照）は電源入力端１５Ａを含み、電源入力端１５Ａの一端に第１２抵抗１５Ｂの一端が電気的に接続される。第１２抵抗１５Ｂには第８キャパシタ１５Ｃが並列接続される。
電源入力端１５Ａの他端に第１３抵抗１５Ｄの一端が電気的に接続される。第１２抵抗１５Ｂの他端と第１３抵抗１５Ｄの他端にそれぞれ整流ＩＣ１５Ｅの一端が電気的に接続される。整流ＩＣ１５Ｅの他端のプラス側に第１４抵抗１５Ｆの一端と発光部材１５１の一端が電気的に接続される。本実施例において、整流ＩＣ１５Ｅの型番はＭＢ６Ｓであり、発光部材１５１は発光ダイオードである。
【００２３】
第１４抵抗１５Ｆの他端に第１可変抵抗１５Ｇの一端と第１７抵抗１５Ｊの一端が電気的に接続される。第１可変抵抗１５Ｇの他端に第１５抵抗１５Ｈの一端と第１トランジスタ１５Ｋのベースが電気的に接続される。第１５抵抗１５Ｈの他端に第１６抵抗１５Ｉの一端と第２トランジスタ１５Ｌのベースが電気的に接続される。第１７抵抗１５Ｊの他端に第１トランジスタ１５Ｋのコレクタが電気的に接続され、第１トランジスタ１５Ｋのエミッタに第２トランジスタ１５Ｌのコレクタが電気的に接続される。第１トランジスタ１５Ｋのコレクタに第４ダイオード１５Ｍのアノードと第９キャパシタ１５Ｎの一端が電気的に接続される。第４ダイオード１５Ｍのカソードにシリコン制御整流器１５Ｏのゲートが電気的に接続される。
発光部材１５１の他端にシリコン制御整流器１５Ｏのアノードが電気的に接続される。第１６抵抗１５Ｉの他端、第２トランジスタ１５Ｌのエミッタ、第９キャパシタ１５Ｎの他端、シリコン制御整流器１５Ｏのカソードに整流ＩＣ１５Ｅの他端のマイナス側が電気的に接続され、かつ接地される。
【００２４】
図５及び図６は、本考案の実施例２を示す。
実施例２では、図５に示すように、発光回路１５がＡＣ／ＤＣ変換回路１２に電気的に接続されている。
交流入力端１１にＡＣ／ＤＣ変換回路１２が電気的に接続され、ＡＣ／ＤＣ変換回路１２に発光回路１５とＵＳＢ直流出力端１３が電気的に接続され、さらに発光回路１５とＵＳＢ直流出力端１３が並列接続を呈する。発光回路１５に発光部材１５１が電気的に接続される。
発光回路１５の構造は実施例１とほぼ同じであるが、図６に示すように、ノード電圧１２Ｗから直流電流が入力され、かつスイッチ１５Ｐが接続された点で相違している。スイッチ１５Ｐはノード電圧１２Ｗと発光部材１５１の間に設けられて電気的に接続され、スイッチ１５Ｐと発光部材１５１の間に第１８抵抗１５Ｑが設けられて電気的に接続される。
【００２５】
図７と図８から分かるように、実施例１及び実施例２において、制御部材１４は操作ボタンであり、操作ボタンを操作することにより、スイッチ１５Ｐが連動して開閉する。座体１を壁Ａ上のコンセントＢに差し込んだとき、座体１のプラグ刃から交流電流が入力され、使用者は制御部材（操作ボタン）１４を押して発光部材１５１の発光を制御し、ナイトライトとして用いることができる。
【００２６】
図９から図１１は本考案の実施例３を示す。
座体１Ａに設けた制御部材１４Ａは、例えばフォトレジスタなどの光センサ素子、または、距離センサ素子（Ｄｉｓｔａｎｃｅ  Ｓｅｎｓｏｒ）とすることができる。
距離センサ素子は標的物（通常は人体）と距離センサ素子間の距離を検出し、検出した距離が設定値より小さいとき、距離センサ素子が発光部材１５１を発光させる。
本実施例において、制御部材１４Ａは光センサ素子であり、この光センサ素子が周囲環境の明るさが充分か否かを検出する。環境光の明るさが不足しているとき、発光部材１５１が発光し、環境光の明るさが充分なときは発光しない。或いは、制御部材１４Ａは光センサ素子と焦電型赤外線センサ素子の組み合わせである。つまり、人体Ｃ（図１０参照）が通過するとき、焦電型赤外線センサ素子が検出信号を発生し、かつ光センサ素子がそのときの周囲環境の明るさが不足していると検出したとき、発光部材１５１を発光させる。その他の状況において、発光部材１５１はいずれも発光せず、これには次の３つの状況がある。
【００２７】
１、焦電型赤外線センサ素子が前記検出信号を発生し、かつ光センサ素子がそのときの周囲環境の明るさが明るいと検出したとき。
２、焦電型赤外線センサ素子が前記検出信号を発生せず、かつ光センサ素子がそのときの周囲環境の明るさが明るいと検出したとき。
３、焦電型赤外線センサ素子が前記検出信号を発生せず、かつ光センサ素子がそのときの周囲環境の明るさが不足していると検出したとき。
【００２８】
このため、本実施例のＵＳＢソケット付きナイトライトは適時に自動発光する機能による節電・省エネの効果を備えている。発光回路１５の構造は実施例２とほぼ同じであるが、図１１に示すように、ノード電圧１２Ｗから直流電流が入力され、かつ第２可変抵抗１５Ｒが電気的に接続されている点で相違している。
第２可変抵抗１５Ｒには発振器１５Ｓが電気的に接続される。本実施例において、発振器１５Ｓの型番はＮＥ５５５である。発振器１５Ｓの第０ピンに第１９抵抗１５Ｔの一端と発光部材１５１が電気的に接続され、かつ接地される。第１９抵抗１５Ｔの他端に第２可変抵抗１５Ｒが電気的に接続される。発振器１５Ｓの第２ピンに第２０抵抗１５Ｕが電気的に接続される。
【００２９】
図１２〜図１４は本考案の実施例４を示す。
図１２に示すように、実施例４では、発光回路１５がＵＳＢ直流出力端１３に電気的に接続されている。
交流入力端１１はＡＣ／ＤＣ変換回路１２に電気的に接続され、ＡＣ／ＤＣ変換回路１２はＵＳＢ直流出力端１３に電気的に接続される。ＵＳＢ直流出力端１３はさらに発光回路１５に電気的に接続される。発光回路１５に発光部材１５１が電気的に接続される。つまり、発光回路１５が必要とする電力はＵＳＢ直流出力端１３が出力する電圧から得る。
【００３０】
図１３と図１４に示すように、ＵＳＢ充電ケーブル２Ａは第１コネクタ２１Ａと第２コネクタ２２Ａを含む。ＵＳＢ充電ケーブル２Ａの第１コネクタ２１Ａは座体１Ａ上のＵＳＢ直流出力端（図示せず）に接続可能である。また、座体１ＡがコンセントＢに接続される。ＵＳＢ充電ケーブル２Ａの第２コネクタ２２Ａを電器に接続して、直流電流で電器に対して充電を行うことができる。例えば、図１４に示すように、モバイルバッテリーＤ等の電器がＵＳＢ充電ケーブル２Ａを介して充電される。
【００３１】
なお、ＡＣ／ＤＣ変換回路１２と発光回路１５において、上記実施例の説明中或いは図面に記載された関連各部材のパラメータ（抵抗値、キャパシタ値等）または型番は、本考案の実施例の理解を補助するためのものにすぎず、これに限定されるものではない。
また、上記実施例は本考案の権利範囲を限定するものではなく、実用新案登録請求の範囲を逸脱しない変更や修飾はすべて本考案の権利範囲内に含まれる。
【符号の説明】
【００３２】
１            座体
１１            交流入力端
１２            ＡＣ／ＤＣ変換回路
１３            ＵＳＢ直流出力端
１４            制御部材
１５            発光回路
１５１          発光部材
１２            ＡＣ／ＤＣ変換回路
１２０          交流入力端
１２１          第１抵抗
１２２          全波ブリッジ整流器
１２３          第１キャパシタ
１２４          第１インダクタ
１２５          第２キャパシタ
１２６          第２抵抗
１２７          第３抵抗
１２８          第３キャパシタ
１２９          第１ダイオード
１２Ａ          第４抵抗
１２Ｂ          第５抵抗
１２Ｃ          変圧器一側
１２Ｄ          第６抵抗
１２Ｅ          第７抵抗
１２Ｆ          第８抵抗
１２Ｇ          制御ＩＣ
１２Ｈ          第２ダイオード
１２Ｉ          第９抵抗
１２Ｊ          第４キャパシタ
１２Ｋ          変圧器他側
１２Ｌ          第３ダイオード
１２Ｍ          第１０抵抗
１２Ｏ          第５キャパシタ
１２Ｐ          第１１抵抗
１２Ｑ          第６キャパシタ
１２Ｒ          第２インダクタ
１２Ｓ          第７キャパシタ
１２Ｔ          出力負荷
１２Ｕ          ＵＳＢ出力端
１２Ｗ          ノード電圧
１５            発光回路
１５Ａ          電源入力端
１５Ｂ          第１２抵抗
１５Ｃ          第８キャパシタ
１５Ｄ          第１３抵抗
１５Ｅ          整流ＩＣ
１５Ｆ          第１４抵抗
１５Ｇ          第１可変抵抗
１５Ｈ          第１５抵抗
１５Ｉ          第１６抵抗
１５Ｊ          第１７抵抗
１５Ｋ          第１トランジスタ
１５Ｌ          第２トランジスタ
１５Ｍ          第４ダイオード
１５Ｎ          第９キャパシタ
１５Ｏ          シリコン制御整流器
１５Ｐ          スイッチ
１５Ｑ          第１８抵抗
１５Ｒ          第２可変抵抗
１５Ｓ          発振器
１５Ｔ          第１９抵抗
１５Ｕ          第２０抵抗
１Ａ            座体
１４Ａ          制御部材
２Ａ            ＵＳＢ充電ケーブル
２１Ａ          第１コネクタ
２２Ａ          第２コネクタ
Ａ            壁
Ｂ            コンセント
Ｃ            人体
Ｄ            モバイルバッテリー
【図１】
0003194276.tif 000003
【図２】
0003194276.tif 000004
【図３】
0003194276.tif 000005
【図４】
0003194276.tif 000006
【図５】
0003194276.tif 000007
【図６】
0003194276.tif 000008
【図７】
0003194276.tif 000009
【図８】
0003194276.tif 000010
【図９】
0003194276.tif 000011
【図１０】
0003194276.tif 000012
【図１１】
0003194276.tif 000013
【図１２】
0003194276.tif 000014
【図１３】
0003194276.tif 000015
【図１４】
0003194276.tif 000016